(57)【要約】  健康産業で採用され得る保護めがね。保護めがね（１０）は、プラスチックのような柔軟な材料のシートで形成されたシールド（１１）を含む。シール（１９）が、シールド（１１）の主要面にしっかり留められ、発泡体のような柔軟なプラスチック材料の帯で形成され、保護めがねをユーザの顔にしっかり留めることを補助するようにユーザの耳に掛るループ（２３）を提供すべくシール（１９）がシールド（１１）を越えて伸びている。
2013533058.tif 000002
【特許請求の範囲】
【請求項１】
ユーザの顔に隣接して装着される保護めがねであって、
ユーザの目をカバーするようにユーザの顔に跨って伸び、ユーザの額と鼻／頬の間に伸びるシールドであって、シールドは、ユーザの額に隣接して位置させられる第１の横エッジ部分と、ユーザの鼻／頬に隣接して位置させられる第２の横エッジ部分を含むものと、
ユーザの額に掛るように第１の横エッジ部分に沿って伸びている第１のシール長と、ユーザの鼻および頬に掛るように第２の横エッジ部分に沿って伸びている第２のシール長を含んだシールと、を含み、
シールは更に、シールドをユーザの顔にしっかり留めることを少なくとも補助するように、シールドを越えて伸びる留めパーツを提供する、
保護めがね。
【請求項２】
シールドは、柔軟なシート材料で形成され、材料は透明か不透明かまたは半透明である、請求項１の保護めがね。
【請求項３】
留めパーツは、シールドをユーザの顔にしっかり留めるようにユーザの耳に掛るループのペアを含む、請求項１または２の保護めがね。
【請求項４】
留めパーツは、シールドをユーザの顔にしっかり留めるようにユーザの頭の周りに伸びる少なくとも１つのループを提供する、請求項１または２の保護めがね。
【請求項５】
シールは、弾性材料から一体的に形成される、請求項１または２の保護めがね。
【請求項６】
シール材料は発泡体である、請求項１から５のいずれかの保護めがね。
【請求項７】
シール材料はプラスチックまたは（天然または合成）ゴムである、請求項１から６のいずれかの保護めがね。
【請求項８】
前記シールドは、前記第１および第２のシール長を越えて横方向に伸びる、請求項１から７のいずれかの保護めがね。
【請求項９】
シールドは、横エッジ部分の間に伸びているサイドエッジ部分を有し、保護めがねがサイドエッジ部分においてユーザの顔から隙間を空けられるように、各サイドエッジ部分において第１のシール長と第２のシール長の間にギャップをもつ、請求項８の保護めがね。
【請求項１０】
前記シールドは、頬掛け部分を有すべく可塑的に変形され、頬掛け部分は、鼻掛け部分の反対側で隙間を空けられ、それに対して後ろ向きにずらされている、請求項１から９のいずれかの保護めがね。
【請求項１１】
保護めがねを製造するのに使われる方法であって、
プラスチック材料のシートを提供するステップと、
ユーザの顔に跨って伸びるようにシールドを提供するようシートを形成するステップと、
弾性材料の少なくとも１つの帯を提供するステップと、
シールドの主要面に帯をしっかり留めるステップであって、帯は、シールドをユーザの顔にしっかり留めることを少なくとも補助するように、ユーザに掛るためにシールドを越えて伸びるように配置可能であるステップと、
を含む方法。
【請求項１２】
ユーザの目をカバーするために第１および第２の目部分を含むようにシールドと、ユーザの鼻がそこまで伸びるところの目部分の間に位置する凹みと、を形成するステップであって、シールは、上方エッジ部分に隣接するシールドに跨り下方エッジ部分に跨って横に伸びており、シールドをユーザにしっかり留めることを補助するようにシールドを越えて伸びるステップを更に含む、請求項１１の方法。
【発明の詳細な説明】
【技術分野】
【０００１】
本発明は、ユーザの目を保護するための保護めがねに関する。
【背景技術】
【０００２】
保護めがねは、装着者の目を保護するために多くの場合に使用される。例えば、機械が操作されているところで産業的な目的で使用される。保護的な保護めがねはまた、健康産業でも採用される。特定の例として、ヘルスケアの専門家および／または患者は、感染の危険のあるところで保護的な保護めがねを使用する。
【０００３】
歯科での使用のための保護的な保護めがねは、一般的に、仰臥した位置にあるのではなく直立した位置にある人のためにデザインされた保護的な保護めがねから適応されている。このため、入手可能な保護的な保護めがねは、歯科産業では、ユーザの目を完全に保護しないことを含んだ数々の不利点を有する。
【０００４】
ヘルスケア産業で使われる保護的な保護めがねについては、単なるレンズガラスまたはサングラスのペアであることが例外的ではない。それらは上記の不利点から苦しめられるだけでなく、比較的高価で殺菌を要求するという更なる不利点を有する。もっと更なる不利点は、それらは頻繁に装着するのが不快であることである。
【発明の概要】
【０００５】
上記の不利点の少なくとも１つを克服するかまたは実質的に改善することが、本発明の目的である。
【０００６】
ここに、ユーザの顔に隣接して装着される保護めがねであって、
ユーザの目をカバーするようにユーザの顔に跨って伸び、ユーザの額と鼻／頬の間に伸びるシールドであって、シールドは、ユーザの額に隣接して位置させられる第１の横エッジ部分と、ユーザの鼻／頬に隣接して位置させられる第２の横エッジ部分を含むものと、
ユーザの額に掛るように第１の横エッジ部分に沿って伸びている第１のシール長と、ユーザの鼻および頬に掛るように第２の横エッジ部分に沿って伸びている第２のシール長を含んだシールと、を含み、
シールは更に、シールドをユーザの顔にしっかり留めることを少なくとも補助するように、シールドを越えて伸びる留めパーツを提供する、
保護めがね、が開示される。
【０００７】
好ましくは、シールドは、柔軟なシート材料で形成され、材料は透明か不透明かまたは半透明である。
【０００８】
好ましくは、留めパーツは、シールドをユーザの顔にしっかり留めるようにユーザの耳に掛るループのペアを含む。
【０００９】
代替的な好ましい形では、留めパーツは、シールドをユーザの顔にしっかり留めるようにユーザの頭の周りに伸びる少なくとも１つのループを提供する。
【００１０】
代替的な好ましい形では、シールは、弾性材料から一体的に形成される。
【００１１】
好ましくは、シール材料は発泡体である。
【００１２】
好ましくは、シール材料はプラスチックまたは（天然または合成）ゴムである。
【００１３】
好ましくは、前記シールドは、前記第１および第２のシール長を越えて横方向に伸びる。
【００１４】
好ましくは、シールドは、横エッジ部分の間に伸びているサイドエッジ部分を有し、保護めがねがサイドエッジ部分においてユーザの顔から隙間を空けられるように、各サイドエッジ部分において第１のシール長と第２のシール長の間にギャップをもつ。
【００１５】
好ましくは、前記シールドは、頬掛け部分を有すべく可塑的に変形され、頬掛け部分は、鼻掛け部分の反対側で隙間を空けられ、それに対して後ろ向きにずらされている。
【００１６】
ここに、保護めがねを製造するのに使われる方法であって、
プラスチック材料のシートを提供するステップと、
ユーザの顔に跨って伸びるようにシールドを提供するようシートを形成するステップと、
弾性材料の少なくとも１つの帯を提供するステップと、
シールドの主要面に帯をしっかり留めるステップであって、帯は、シールドをユーザの顔にしっかり留めることを少なくとも補助するように、ユーザに掛るためにシールドを越えて伸びるように配置可能であるステップと、
を含む方法、が更に開示される。
【００１７】
好ましくは、ユーザの目をカバーするために第１および第２の目部分を含むようにシールドと、ユーザの鼻がそこまで伸びるところの目部分の間に位置する凹みと、を形成するステップであって、シールは、上方エッジ部分に隣接するシールドに跨り下方エッジ部分に跨って横に伸びており、シールドをユーザにしっかり留めることを補助するようにシールドを越えて伸びる。
【００１８】
本発明の好ましい形が、付随する図面を参照して、例としてここで記載される。
【図面の簡単な説明】
【００１９】
【図１】図１は、保護的な保護めがねの一アイテムの概略正面図である。
【図２】図２は、図１の保護めがねにおいて採用されたシールドの概略正面図である。
【図３】図３は、図２のシールドの概略側面図である。
【図４】図４は、図１の保護めがねにおいて採用されたシールの概略正面図である。
【図５】図５は、図４のシールの概略側面図である。
【図６】図６は、図４のシールの変形例の概略正面図である。
【図７】図７は、図６のシールの概略側面図である。
【図８】図８は、図１の保護めがねの概略断面図である。
【発明を実施するための形態】
【００２０】
付随する図面には、保護めがね１０の一アイテムが概略的に描かれている。保護めがね１０は、歯科外科でのように、健康産業で採用されても良い。典型的には、保護めがね１０は、患者の目を保護すべく歯科の患者によって装着されるであろう。
【００２１】
保護めがね１０は、プラスチックのような、柔軟な材料のシートで形成されたシールド１１を含む。柔軟な材料で形成されることによって、シールド１１は、装着者の顔の輪郭に適合するように少なくとも部分的に変形することができる。シールド１１は、透明か不透明かまたは半透明であっても良く、代替的に色付きであっても良い。シールド１１は、ユーザの額に隣接して位置させられる第１の横エッジ部分１２と、ユーザの頬および鼻に隣接して位置させられる第２の横エッジ部分１３を有する。図１および２に見られるように、第２の部分１３は、ユーザの鼻を収容するための凹み１４を含む。サイドエッジ部分１５と１６が、部分１２と１３に間に伸びる。この実施形態では、シールド１１は、凹み１４を除いて、全体的に長方形の構成である。
【００２２】
シールド１１は、ユーザの顔に隣接して配置される第１の主要面１７と、ユーザの顔から離される第２の主要面１８を有する。
【００２３】
面１７にしっかり留められるのはシール１９である。シール１９は、弾性材料で形成され、より好ましくは、発泡された弾性材料で形成される。特定の例として、シール１９を形成する材料は、発泡されたプラスチック材料または発泡されたゴム（天然または合成）であっても良い。
【００２４】
シール１９は、それが単一の構成物のものであるように好ましくはシートからカットされたか鋳造された、帯の形のものである。この実施形態では、シール１９は、ユーザの額に掛る第１の長さ２０を含む。長さ２０はまた、部分１２に沿って縦方向に伸びるべく面１７にしっかり留められる。長さ２０は、シールド１１をユーザの額に接合的に接続する。
【００２５】
シール１９は、ユーザの鼻に掛り、頬エリアに隣接する、第２の長さ２１を含む。長さ２１は、部分１３に沿って縦方向に伸びるべく表面１７にしっかり留められる。
【００２６】
長さ２０および２１は、図１に最も良く見られるように、「斜線を入れられた」エリアにおいてシールド１１にしっかり留められる。
【００２７】
図４から８に見られるように、シール１９は、この実施形態では、ユーザの顔に対してシールド１１をしっかり留めてユーザの目をカバーするように、ユーザの耳の周りに伸びるループ２３を形成する留め部分２２を更に含む。
【００２８】
代替的な実施形態では、留め部分２２は、これまたユーザの目をカバーする位置にシールド１１をしっかり留めるべくユーザの頭の周りに伸びる１つ以上のバンドを形成しても良い。
【００２９】
好ましくは、図１に見られる「斜線を入れられた」エリアをカバーすべく、表面１７および／または長さ２０と２１に接着剤が施されるであろう。従って、留め部分２２は、接着剤端部２４からは、表面１７からそらすことが可能であろう。
【００３０】
代替的な実施形態では、長さ２０と２１は、超音波溶接によって表面１７にしっかり留められる。この変形例では、これまた長さ２０と２１の表面１７への固定は端部２４において終端する。従って、サイドエッジ部分１５と１６に隣接して、長さ２０と２１、特に端部２４の間に存在するギャップ２５がある。
【００３１】
好ましくは、シールド１１は、ユーザの鼻の上に角度をもって伸びる鼻掛け部分２７の反対側で後向きに隙間を空けられた頬掛け部分２６を有し、頬掛け部分２６がそこから後ろ向きに伸びているようにすべく、可塑的に変形される。
【００３２】
保護めがね１０の構成は、大人や子供、および男性や女性に適するように変形されることができる。
【００３３】
上述した好ましい実施形態の利点は、保護めがね１０が手頃なコストで製造することができ、従って廃棄されることができ、殺菌の必要を克服することである。更なる利点は、ユーザの目に掛る材料を禁じるように長さ２０と２１がシールド１１をユーザの顔と接合的に接続することである。
【００３４】
上述した好ましい実施形態の更なる利点は、弾性材料で形成されることによって、留め部分２３が、弾性的に変形されることができ、従ってシールド１１をユーザの顔に向けて促すことができることである。
【００３５】
上述した好ましい実施形態のもっと更なる利点はギャップ２５である。ギャップ２５は、換気を許容し、それにより内部レンズの凝縮と関係して存在し得るあらゆる問題を軽減する。その点でのもっと更なる利点は、患者が制限されたようにより少なく感じることである。
【００３６】
特に図６の実施形態については、シールド１１は特に、シールド１１とユーザの頬および鼻に隣接するエリアの間のギャップを閉じる。
【図１】
2013533058.tif 000003
【図２】
2013533058.tif 000004
【図３】
2013533058.tif 000005
【図４】
2013533058.tif 000006
【図５】
2013533058.tif 000007
【図６】
2013533058.tif 000008
【国際調査報告】
2013533058.tif 000009
2013533058.tif 000010
2013533058.tif 000011